(57)【要約】【課題】撮影画像を拡大表示した状態で、被写体のエッジ領域を視認しやすくする。【解決手段】画像表示装置２は、表示手段に表示する対象となる入力画像を取得する画像取得手段と、前記入力画像に基づいて前記表示手段に表示する表示画像の表示倍率を示す情報を取得する倍率取得手段と、第１表示倍率で前記表示手段に表示する場合に、前記入力画像に含まれるエッジ領域を含む画素に第１透過率の色を重畳して前記表示画像を表示させ、前記表示画像を前記第１表示倍率よりも大きな第２表示倍率で前記表示手段に表示する場合に、前記エッジ領域を含む画素に前記第１透過率の色を重畳せずに、前記表示画像を表示させる表示制御手段と、を有する。【選択図】図２
2017163261.tif 000002
【特許請求の範囲】
【請求項１】
表示手段に表示する対象となる入力画像を取得する画像取得手段と、
前記入力画像に基づいて前記表示手段に表示する表示画像の表示倍率を示す情報を取得する倍率取得手段と、
第１表示倍率で前記表示手段に表示する場合に、前記入力画像に含まれるエッジ領域を含む画素に第１透過率の色を重畳して前記表示画像を表示させ、前記表示画像を前記第１表示倍率よりも大きな第２表示倍率で前記表示手段に表示する場合に、前記エッジ領域を含む画素に前記第１透過率の色を重畳せずに、前記表示画像を表示させる表示制御手段と、
を有することを特徴とする画像表示装置。
【請求項２】
前記表示制御手段は、前記表示画像を前記第１表示倍率よりも大きな前記第２表示倍率で前記表示手段に表示する場合に、前記エッジ領域を含む画素に前記第１透過率よりも透過率が大きい第２透過率の色を重畳して前記表示画像を表示させることを特徴とする、
請求項１に記載の画像表示装置。
【請求項３】
前記表示制御手段は、前記倍率取得手段が取得した前記表示倍率に応じて前記第２透過率を変更することを特徴とする、
請求項２に記載の画像表示装置。
【請求項４】
前記表示制御手段は、前記第２表示倍率が大きいほど前記第２透過率を大きくすることを特徴とする、
請求項２又は３に記載の画像表示装置。
【請求項５】
前記入力画像のフォーカスの調整値を取得する調整値取得手段を更に有し、
前記表示制御手段は、所定の時間内の前記調整値の変化量が閾値よりも小さい場合、前記エッジ領域の外縁の内側の画素に、前記第２透過率よりも大きな第３透過率の色を重畳し、かつ前記外縁又は前記外縁の外側の所定の範囲の画素に、前記第２透過率以下の第４透過率の色を重畳して前記表示画像を表示させることを特徴とする、
請求項２から４のいずれか１項に記載の画像表示装置。
【請求項６】
前記表示制御手段は、前記第１透過率の色又は前記第２透過率の色を重畳して前記表示画像を表示させた後に、所定の時間内に前記調整値が変化しない場合、前記エッジ領域を含む前記画素に前記第１透過率の色又は前記第２透過率の色を重畳することを停止する、
請求項５に記載の画像表示装置。
【請求項７】
前記入力画像の高周波成分を検出することにより前記エッジ領域を検出するエッジ検出手段と、
前記エッジ検出手段が検出した前記エッジ領域を含み、前記倍率取得手段が取得した前記表示倍率に対応する透過率の重畳画像を生成する画像生成手段と、
前記重畳画像を、前記入力画像を前記表示倍率に基づいて拡大した画像と合成して前記表示画像を生成する合成手段と、
を更に有することを特徴とする、
請求項１から６のいずれか１項に記載の画像表示装置。
【請求項８】
前記入力画像の高周波成分を検出することにより前記エッジ領域を検出するエッジ検出手段と、
前記入力画像における前記エッジ領域の画素値を、前記倍率取得手段が取得した前記表示倍率に対応する画素値に変更することにより、前記表示画像を生成する画像生成手段と、
を更に有することを特徴とする、
請求項１から６のいずれか１項に記載の画像表示装置。
【請求項９】
コンピュータが実行する、
表示手段に表示する対象となる入力画像を取得するステップと、
前記入力画像に基づいて前記表示手段に表示する表示画像の表示倍率を示す情報を取得するステップと、
前記表示画像を第１表示倍率で前記表示手段に表示する場合に、前記入力画像に含まれるエッジ領域を含む画素に第１透過率の色を重畳して前記表示画像を表示させ、前記表示画像を前記第１表示倍率よりも大きな第２表示倍率で前記表示手段に表示する場合に、前記エッジ領域を含む画素に前記第１透過率の色を重畳せずに、前記表示画像を表示させるステップと、
を有することを特徴とする画像表示方法。
【請求項１０】
前記表示させるステップにおいて、前記エッジ領域を含む画素に前記第１透過率よりも透過率が大きい第２透過率の色を重畳して前記表示画像を表示させることを特徴とする、
請求項９に記載の画像表示方法。
【請求項１１】
前記入力画像のフォーカスの調整値を取得するステップと、
所定の時間内の前記調整値の変化量が閾値よりも小さい場合に実行する、
前記エッジ領域の外縁の内側の画素に前記第２透過率よりも大きな第３透過率の色を重畳するステップと、
前記外縁又は前記外縁の外側の所定の範囲の画素に、前記第２透過率以下の第４透過率の色を重畳して前記表示画像を表示させるステップと、
を更に有することを特徴とする、
請求項１０に記載の画像表示方法。
【請求項１２】
前記第１透過率の色又は前記第２透過率の色を重畳して前記表示画像を表示させた後に、所定の時間内に前記調整値が変化するか否かを判定するステップと、
前記所定の時間内に前記調整値が変化しないと判定した場合、前記エッジ領域を含む前記画素に前記第１透過率の色又は前記第２透過率の色を重畳することを停止するステップと、
を更に有することを特徴とする、
請求項１１に記載の画像表示方法。
【請求項１３】
前記入力画像の高周波成分を検出することにより前記エッジ領域を検出するステップと、
検出した前記エッジ領域を含み、前記表示倍率に対応する透過率の重畳画像を生成するステップと、
前記重畳画像を、前記入力画像を前記表示倍率に基づいて拡大した画像と合成して前記表示画像を生成するステップと、
を更に有することを特徴とする、
請求項９から１２のいずれか１項に記載の画像表示方法。
【請求項１４】
前記入力画像の高周波成分を検出することにより前記エッジ領域を検出するステップと、
前記入力画像における前記エッジ領域の画素値を、前記表示倍率に対応する画素値に変更することにより、前記表示画像を生成するステップと、
を更に有することを特徴とする、
請求項９から１２のいずれか１項に記載の画像表示方法。
【請求項１５】
コンピュータに、請求項１から８のいずれか１項に記載の各手段を実行させるためのプログラム。
【発明の詳細な説明】
【技術分野】
【０００１】
本発明は、フォーカス調整を容易にするための画像を表示する画像表示装置及び画像表示方法に関するものである。
【背景技術】
【０００２】
従来、撮像装置を用いて被写体を撮影する際のフォーカス調整を容易にするために、被写体の撮像画像に、被写体の輪郭を強調表示するためのエッジピーキング画像を重畳して表示する技術が知られている。特許文献１には、フォーカス調整をする対象となる画像が拡大された際に、エッジピーキング画像が滑らかに表示されるように補間処理を行う技術が開示されている。
【先行技術文献】
【特許文献】
【０００３】
【特許文献１】特開２０１３−２１９６２６号公報
【発明の概要】
【発明が解決しようとする課題】
【０００４】
しかしながら、従来の技術では、フォーカス調整をする対象となる撮像画像が拡大された場合に、強調表示されるエッジピーキング画像が撮像画像と共に拡大されてしまう。したがって、エッジピーキング画像が被写体のエッジ領域を覆い隠してしまい、撮影者が被写体のエッジ領域の細部を確認しながらフォーカスを調整することが困難であるという問題があった。
【０００５】
そこで、本発明は上述した点に鑑みてなされたものであり、撮影画像を拡大表示した状態で、被写体のエッジ領域を視認しやすくする画像表示装置及び画像表示方法を提供することを目的する。
【課題を解決するための手段】
【０００６】
上記の課題を解決するために、本発明の画像表示装置は、表示手段に表示する対象となる入力画像を取得する画像取得手段と、前記入力画像に基づいて前記表示手段に表示する表示画像の表示倍率を示す情報を取得する倍率取得手段と、第１表示倍率で前記表示手段に表示する場合に、前記入力画像に含まれるエッジ領域を含む画素に第１透過率の色を重畳して前記表示画像を表示させ、前記表示画像を前記第１表示倍率よりも大きな第２表示倍率で前記表示手段に表示する場合に、前記エッジ領域を含む画素に前記第１透過率の色を重畳せずに、前記表示画像を表示させる表示制御手段と、を有することを特徴とする。
【０００７】
本発明の画像表示方法は、コンピュータが実行する、表示手段に表示する対象となる入力画像を取得するステップと、前記入力画像に基づいて前記表示手段に表示する表示画像の表示倍率を示す情報を取得するステップと、第１表示倍率で前記表示手段に表示する場合に、前記入力画像に含まれるエッジ領域を含む画素に第１透過率の色を重畳して前記表示画像を表示させ、前記表示画像を前記第１表示倍率よりも大きな第２表示倍率で前記表示手段に表示する場合に、前記エッジ領域を含む画素に前記第１透過率の色を重畳せずに、前記表示画像を表示させるステップと、を有することを特徴とする。
【発明の効果】
【０００８】
本発明によれば、撮影画像を拡大表示した状態で、被写体のエッジ領域を視認しやすくすることができるという効果を奏する。
【図面の簡単な説明】
【０００９】
【図１】第１の実施形態の画像処理システムＳの概要を説明するための図である。
【図２】第１の実施形態の画像処理システムＳの構成を示す図である。
【図３】エッジ領域を特定する方法について説明するための図である。
【図４】表示倍率とエッジピーキング画像の透過率との関係を示した図である。
【図５】被写体のエッジ領域にエッジピーキング画像が重畳された例を示す図である。
【図６】フォーカスリングの操作に応じて、エッジ画像生成部２０５が行う処理を示した図である。
【図７】フォーカスリングの操作時に表示画像に表示されるエッジピーキング画像について示した図である。
【図８】画像表示装置２の動作を示すフローチャートである。
【図９】フォーカスリングを操作してフォーカス調整を行う際の画像表示装置２の動作を示すフローチャートである。
【図１０】第２の実施形態に係る画像表示装置２の構成図である。
【図１１】画像表示装置２の動作を示すフローチャートである。
【図１２】フォーカスリングを操作してフォーカス調整を行う際の画像表示装置２の動作を示すフローチャートである。
【発明を実施するための形態】
【００１０】
＜第１の実施形態＞
図１は、第１の実施形態の画像処理システムＳの概要を説明するための図である。画像処理システムＳは、撮像装置１及び画像表示装置２を含む。撮像装置１は、例えばシネマカメラであり、被写体を撮影し、撮影した被写体の撮像画像を含む映像信号を出力する。画像表示装置２は、例えば液晶ディスプレイにより構成される表示部２０を有している。
【００１１】
撮像装置１と画像表示装置２との間は、例えばＳＤＩ（Serial Digital Interface）ケーブルによって接続されている。画像表示装置２は、撮像装置１が出力する映像信号を受信して、受信した映像信号に基づく表示画像を表示部２０に表示する。撮像装置１を用いて被写体を撮影するユーザは、画像表示装置２の表示部２０を見ながら、被写体のフォーカス調整をすることができる。
【００１２】
撮像装置１は、フォーカスリング等のフォーカス調整部を備え、フォーカス調整部の操作内容に応じて、レンズの遠近が調節される。フォーカスリングは、カメラのフォーカスを合わせるときに操作される操作入力部である。フォーカスリングは、例えば、カメラのレンズの周囲にリング状に配置され、ユーザは、リングを時計回り又は反時計回りに回転させることにより、フォーカスを調整することができる。
【００１３】
画像表示装置２は、撮像装置１における操作又は画像表示装置２が有する操作部２１における操作に応じて、表示部２０に表示する画像の表示倍率を変更してズーム表示することができる。また、画像表示装置２は、画像に含まれる被写体の輪郭を含む領域の少なくとも一部の領域に、輪郭を強調表示するための重畳画像であるエッジピーキング画像を重畳して表示することができる。図１においては、被写体の輪郭を含む領域が灰色で示され、エッジピーキング画像が黒色の実線で示されている。
【００１４】
画像表示装置２は、表示倍率が１００％より大きい所定の倍率になると、拡大していない場合に表示していたエッジピーキング画像をそのまま重畳せずに、表示画像を表示する。画像表示装置２は、例えば、表示倍率が所定の大きさ以上になると、エッジピーキング画像の透過率を大きくしたり、エッジピーキング画像の表示を停止したりする。このようにすることで、ユーザは、表示倍率を拡大してフォーカスを微調整する際に、被写体の輪郭の位置を視認できるので、フォーカス調整をしやすくなる。以下の説明においては、被写体の輪郭を含む領域をエッジ領域と称する場合がある。
【００１５】
［画像表示装置２の構成］
図２は、第１の実施形態の画像処理システムＳの構成を示す図である。図２を参照しながら、画像表示装置２の構成について述べる。画像表示装置２は、表示部２０、操作部２１、画像取得部２２、倍率取得部２３、調整値取得部２４、表示制御部２５及び画像処理部２６を有する。表示制御部２５は、ＲＡＭ（Random Access Memory）及びＲＯＭ（Read Only Memory）等の記憶媒体を含む記憶部２５１を有する。
【００１６】
表示部２０は、例えば液晶ディスプレイである。表示部２０は、画像処理部２６から出力される表示画像を表示する。
操作部２１は、ユーザの操作を受け付けるインタフェースであり、スイッチ又はタッチパネル等により構成されている。操作部２１は、例えば、表示部２０に表示する画像の表示倍率を設定する操作を受けて、操作に応じた信号を倍率取得部２３に入力する。
【００１７】
画像取得部２２は、撮像装置１から入力される映像信号に重畳された撮像画像データを取得する。撮像画像データは、画像表示装置２が備える表示部２０の画素に対応する輝度情報及び色情報を含んでいる。画像取得部２２は、映像信号から取り出した輝度情報及び色情報を含む撮像画像データを画像処理部２６に入力する。
【００１８】
倍率取得部２３は、ユーザが画像表示装置２の操作部２１を介して入力した、表示部２０に表示する画像の表示倍率を取得する。倍率取得部２３は、取得した表示倍率を表示制御部２５に通知する。ユーザが選択した表示倍率は、例えば、記憶部２５１が有するＲＡＭに記憶される。
【００１９】
調整値取得部２４は、フォーカスの調整値を取得する。調整値取得部２４は、例えば、撮像装置１から出力されるＳＤＩ信号のアンシラリーデータに付加されたフォーカスリングの調整値をΔｔの周期で取得する。調整値取得部２４は、単位時間（例えばΔｔ）あたりの調整値の差を算出することで、フォーカスリングの変化量を算出する。例えば、時刻ｔ０で検出した調整値が２０で、時刻ｔ０＋Δｔで検出した調整値が５０の場合、フォーカスリングの調整値の変化量は３０となる。調整値取得部２４は、算出した調整値の変化量を、表示制御部２５に通知する。
【００２０】
表示制御部２５は、倍率取得部２３から取得した表示倍率に基づいて、表示部２０に表示させる表示画像を画像処理部２６に生成させる。表示制御部２５は、例えば、記憶部２５１が有するＲＯＭ等の記憶媒体に格納されたプログラムを実行するＣＰＵ（Central Processing Unit）により実現することができる。
【００２１】
表示制御部２５は、所定の第１表示倍率の表示画像を表示部２０に表示する場合、画像処理部２６に、入力画像に含まれるエッジ領域を含む画素に第１透過率の色のエッジピーキング画像が重畳された表示画像を生成させる。表示制御部２５は、第１表示倍率よりも大きな第２表示倍率の表示画像を表示部２０に表示する場合、画像処理部２６に、エッジ領域を含む画素に第１透過率の色を重畳させずに、表示画像を生成させる。
【００２２】
例えば、表示制御部２５は、第２表示倍率で表示部２０に表示する場合に、エッジ領域を含む画素に第１透過率よりも透過率が大きい第２透過率の色を重畳して表示画像を表示させる。この際、表示制御部２５は、倍率取得部２３が取得した表示倍率に応じて第２透過率を変化させてもよい。例えば、表示制御部２５は、表示倍率が大きくなればなるほど第２透過率を大きくすることにより、ユーザが表示画像を拡大すればするほど、被写体の画像を確認する際に、エッジピーキング画像の影響を受けにくくなるようにすることができる。
【００２３】
画像処理部２６は、表示制御部２５の制御に基づいて、画像取得部２２から入力された撮像画像に画像処理を施して、表示部２０が表示する表示画像を生成する。画像処理部２６は、撮像画像スケーリング部２０１、エッジ検出部２０２、画像生成部２０３及び合成部２０４を有する。画像生成部２０３は、エッジ画像生成部２０５及びエッジ画像スケーリング部２０６を有する。
【００２４】
撮像画像スケーリング部２０１は、画像取得部２２から入力された撮像画像データと表示制御部２５から通知される表示倍率とに基づいて、撮像画像データの拡大又は縮小をして表示画像データを生成する。撮像画像スケーリング部２０１は、生成した表示画像データを合成部２０４に入力する。
【００２５】
エッジ検出部２０２は、画像取得部２２から取得した撮像画像データに基づいて被写体のエッジ領域を検出する。エッジ検出部２０２は、例えば、撮像画像データに含まれる画素の輝度情報に基づいて、撮像画像の高周波成分を検出することにより、被写体のエッジ領域に含まれる画素を特定する。高周波成分は、画像の空間周波数が所定の周波数よりも高い領域の画素値である。エッジ検出部２０２は、エッジ領域に含まれると特定した画素の座標を示す座標情報を画像生成部２０３に通知する。
【００２６】
図３は、エッジ領域を特定する方法について説明するための図である。図３に示すように、エッジ検出部２０２は、画素値が所定の変化率よりも大きな変化率で変化する領域に含まれる複数の画素をエッジ領域であると特定する。
【００２７】
画像生成部２０３は、表示制御部２５の制御に基づいて、エッジ検出部２０２が検出したエッジ領域の少なくとも一部の領域を含み、倍率取得部２３が取得した表示倍率に対応する透過率のエッジピーキング画像を生成する。画像生成部２０３の詳細については、後述する。
合成部２０４は、撮像画像スケーリング部２０１が生成した表示画像に、画像生成部２０３が生成したエッジピーキング画像を合成して表示画像データを生成し、表示部２０に表示画像データを出力する。
【００２８】
［エッジピーキング画像の生成及び拡大処理の詳細］
以下、フォーカスリングが操作されていない場合に、エッジ画像生成部２０５及びエッジ画像スケーリング部２０６がエッジピーキング画像を生成して拡大する処理の詳細について説明する。
エッジ画像生成部２０５は、エッジ検出部２０２が検出したエッジ領域に含まれる画素の座標情報と、表示制御部２５から取得する表示画像の表示倍率と、に基づいて、エッジピーキング画像を生成する。具体的には、エッジ画像生成部２０５は、座標情報に関連付けて、エッジピーキング画像の色に対応する画素値を設定することにより、エッジピーキング画像を生成する。この際、エッジ画像生成部２０５は、表示倍率に応じて、エッジピーキング画像の透過率を決定する。
【００２９】
図４は、表示倍率とエッジピーキング画像の透過率との関係を示した図である。エッジ画像生成部２０５は、表示画像の表示倍率が大きいほど、透過率が高いエッジピーキング画像を生成する。図４に示した例では、表示画像を拡大しない場合（表示倍率が０〜１００％）、エッジピーキング画像の透過率は０％である。即ち、表示画像を拡大しない場合、エッジピーキング画像の透過率は非透過である。表示倍率が２００％〜４００％において、エッジ画像生成部２０５は、表示倍率に応じて透過率を変化させる。また、表示倍率が５００％以上である場合、エッジ画像生成部２０５は、エッジ領域の細部を視認しやすくするために、透過率が１００％の透明なエッジピーキング画像を生成する。表示倍率が５００％以上である場合、エッジ画像生成部２０５は、エッジピーキング画像を生成しないでもよい。
【００３０】
エッジ画像スケーリング部２０６は、エッジ画像生成部２０５が生成したエッジピーキング画像を、表示制御部２５から取得した表示倍率に基づいて拡大する。エッジ画像スケーリング部２０６は、拡大時に画素を補間する場合、拡大前のエッジピーキング画像の色及び透過率と同じ色及び透過率の画素を補間する。エッジ画像スケーリング部２０６は、拡大したエッジピーキング画像を、合成部２０４に入力する。
【００３１】
図５は、被写体のエッジ領域にエッジピーキング画像が重畳された例を示す図である。図５は、画像表示装置２のエッジピーキング画像表示の機能がＯＮになっている場合のエッジピーキング画像の表示例を示している。図５を参照しながら、画像表示装置２が表示する透過性のあるエッジピーキング画像について説明する。図５（ａ）は、画像表示装置２の表示部２０に、被写体である立方体が第１の表示倍率で表示された例であり、図５（ｂ）は、図５（ａ）において示された立方体の一部が、第２の表示倍率で拡大して表示された例である。
【００３２】
図５（ａ）では、表示画像が拡大されていないため、エッジピーキング画像は非透過であり、ユーザは、エッジピーキング画像によって、立方体の輪郭のおおよその位置を把握することができるが、エッジピーキング画像が重畳された位置では、立方体の画像自体を視認することができない。図５（ｂ）では、立方体の輪郭が黒い破線で表示され、図５（ａ）に示したエッジピーキング画像よりも透過率が高いエッジピーキング画像が、立方体の輪郭の上に重畳されている。図５（ｂ）からわかるように、拡大された表示画像に透過性のエッジピーキング画像が重畳されているために、ユーザは被写体である立方体の輪郭部分の画像を視認することができる。したがって、ユーザは、輪郭部分のフォーカスを調整しやすい。
【００３３】
［フォーカス調整値の変化量に応じたエッジピーキング画像の表示］
表示制御部２５は、調整値取得部２４から取得したフォーカスリングの調整値の単位時間あたりの変化量に基づいて、表示部２０に表示させる表示画像の態様を変化させてもよい。表示制御部２５は、調整値の単位時間あたりの変化量が０でないことを検出すると、エッジピーキング画像表示の機能をＯＦＦからＯＮに切り替える。ユーザは、調整値取得部２４が、調整値の単位時間あたりの変化量が０でないことを検出してから、表示制御部２５がエッジピーキング画像表示の機能をＯＦＦからＯＮに切り替えるまでの時間を、任意に設定できる。
【００３４】
エッジ画像生成部２０５は、表示制御部２５による制御に基づいて、フォーカスリングの操作に応じたエッジピーキング画像を生成する。具体的には、エッジ画像生成部２０５は、調整値の単位時間あたりの変化量に基づいて、生成するエッジピーキング画像の態様を変化させる。以下、図６及び図７を参照しながら、表示制御部２５がエッジピーキング画像の態様を変化させる処理について説明する。
【００３５】
図６は、フォーカスリングの操作に応じてエッジピーキング画像の態様を変化させる処理について説明するための図である。図７は、フォーカスリングの操作に応じて変化するエッジピーキング画像の例を示す図である。図６に示すように、表示制御部２５は、フォーカスリングの調整値が０でなくなり、フォーカスリングの操作が開始されたことを検出すると、エッジピーキング画像表示の機能をＯＮにする。
【００３６】
表示制御部２５は、フォーカスリングの調整値の単位時間あたりの変化量が閾値以上である場合に、図７（ａ）に示すように、エッジ領域の透過率が表示画像の表示倍率に応じた透過率となるエッジピーキング画像を表示させる。即ち、表示制御部２５は、ユーザが大まかにフォーカス調整を行っている場合、被写体の輪郭を確認しやすいように、エッジ領域に重ねてエッジピーキング画像を表示させる。
【００３７】
表示制御部２５は、調整値の単位時間あたりの変化量が閾値未満である間は、図７（ｂ）に示すように、エッジ領域の外縁近傍の位置に、エッジ領域におけるその他の領域よりも透過性が低いふち着色のエッジピーキング画像を表示させる。具体的には、表示制御部２５は、所定の時間内の調整値の変化量が閾値よりも小さい場合、エッジ領域の外縁の内側の画素に、図７（ａ）のエッジピーキング画像の第２透過率よりも大きな第３透過率のエッジピーキング画像を表示させる。また、エッジ画像生成部２０５は、エッジ領域の外縁の画素に、第２透過率以下の第４透過率の色のエッジピーキング画像を表示させる。このようにすることで、ユーザが、細かくフォーカス調整を行っている状態で、被写体のエッジ領域の位置を認識しながら、被写体の画像を確認しやすくなるので、フォーカス調整の精度を向上させることができる。
【００３８】
また、表示制御部２５は、第１透過率の色又は第２透過率の色のエッジピーキング画像を重畳して表示画像を表示させた後に、所定の時間内に調整値が変化しない場合、すなわち、調整値の単位時間あたりの変化量が０になった場合、エッジ領域を含む画素への第１透過率の色又は第２透過率の色のエッジピーキング画像を重畳することを停止する。このようにすることにより、フォーカス合わせの終了後、エッジピーキング画像表示の機能が自動的にＯＦＦになり、ユーザが手動でエッジピーキング画像表示の機能をＯＦＦにする手間を省くことができる。なお、フォーカスリングの単位時間あたりの変化量が０になってからエッジピーキング画像表示の機能をＯＦＦにするまでの時間は、ユーザが任意に設定することができる。
【００３９】
図７（ｃ）は、フォーカスリングの変化量が０よりも大きく閾値未満である間に表示される外縁着色のエッジピーキング画像の他の例である。図７（ｃ）に示すエッジピーキング画像では、エッジ検出部２０２が検出したエッジ領域の外縁の外側の所定の範囲の画素の画素値が変更され、強調表示されている。このように、表示制御部２５が、エッジ領域の外縁の外側の所定の範囲の画素にエッジピーキング画像を表示させることにより、ユーザは、エッジ領域に含まれる原画の全体を確認することが可能になる。
【００４０】
図８は、画像処理部２６の動作を示すフローチャートである。フローチャートは、表示制御部２５がエッジピーキング画像表示の機能をＯＮにしているか否かを確認する時点から開始する（Ｓ２１）。ユーザがエッジピーキング画像表示の機能をＯＮにしていない場合（Ｓ２１においてＮＯ）、表示制御部２５は、エッジピーキング画像表示の動作を終了する。ユーザがエッジピーキング画像表示の機能をＯＮにしている場合（Ｓ２１においてＹＥＳ）、エッジ検出部２０２は、表示画像のエッジ領域を検出する（Ｓ２２）。
【００４１】
続いて、表示制御部２５は、ユーザが表示画像を拡大表示しているか否かを確認する（Ｓ２３）。ユーザが画像を拡大表示していない場合（Ｓ２３においてＮＯ）、表示制御部２５は、エッジ画像生成部２０５に第１透過率のエッジピーキング画像を生成させる（Ｓ２４）。ユーザが表示画像を拡大表示している場合（Ｓ２３においてＹＥＳ）、表示制御部２５は、エッジ画像生成部２０５に第２透過率のエッジピーキング画像を生成させる（Ｓ２５）。続いて、エッジ画像スケーリング部２０６は、エッジ画像生成部２０５が生成したエッジピーキング画像を表示倍率に合わせてスケーリング処理をして拡大する（Ｓ２６）。続いて、表示制御部２５は、合成部２０４に、拡大された入力画像と拡大されたエッジピーキング画像とを合成して表示部２０に表示させ（Ｓ２７）、エッジピーキング画像表示の動作を終了する。
【００４２】
図９は、フォーカスリングを操作してフォーカス調整を行う際の画像処理部２６の動作を示すフローチャートである。フローチャートは、表示制御部２５が、エッジピーキング画像表示の機能をＯＮにしているか否かを確認する時点から開始する（Ｓ３０１）。ユーザがエッジピーキング画像表示の機能をＯＮにしていない場合（Ｓ３０１においてＮＯ）、表示制御部２５は、エッジピーキング画像表示の動作を終了する。ユーザがエッジピーキング画像表示の機能をＯＮにしている場合（Ｓ３０１においてＹＥＳ）、エッジ検出部２０２が、表示画像のエッジ領域を検出する（Ｓ３０２）。
【００４３】
続いて、表示制御部２５は、ユーザが画像を拡大表示しているか否かを確認する（Ｓ３０３）。画像を拡大表示している場合（Ｓ３０３においてＹＥＳ）、表示制御部２５はフォーカスリングの調整値を検出する（Ｓ３０４）。フォーカスリングの変化量が０のまま所定時間が経過した場合（Ｓ３０５においてＹＥＳ）、表示制御部２５は、エッジピーキング画像表示の機能をＯＦＦにして（Ｓ３０６）、エッジピーキング画像表示の動作を終了する。
【００４４】
フォーカスリングの調整値が所定時間以内に変化し、調整値の変化量が閾値より小さい場合（Ｓ３０５においてＮＯ、Ｓ３０７においてＹＥＳ）、エッジ画像生成部２０５は、エッジ領域の外縁が着色されたエッジピーキング画像を生成する（Ｓ３０８）。続いて、エッジ画像スケーリング部２０６は、エッジ画像生成部２０５が生成したエッジピーキング画像を表示倍率に合わせて拡大する（Ｓ３０９）。合成部２０４が、撮像画像スケーリング部２０１が拡大した画像と、エッジ画像スケーリング部２０６が拡大したエッジピーキング画像とを合成して、表示部２０に表示する（Ｓ３１０）。
【００４５】
フォーカスリングの調整値の変化量が閾値以上である場合（Ｓ３０７においてＹＥＳ）、エッジ画像生成部２０５は、第２透過率のエッジピーキング画像を生成する（Ｓ３１１）。続いて、エッジ画像生成部２０５が生成したエッジピーキング画像を表示倍率に合わせて拡大し、画像表示装置２が拡大した画像とエッジピーキング画像とを合成して、表示部２０に表示する（Ｓ３１０）。
【００４６】
画像を拡大表示していない場合（Ｓ３０３においてＮＯ）、エッジ画像生成部２０５は、第１透過率のエッジピーキング画像を生成する（Ｓ３１２）。続いて、合成部２０４が、表示画像とエッジピーキング画像とを合成して、表示部２０に表示する（Ｓ３１０）。
【００４７】
以上説明したように、画像表示装置２は、撮像画像を拡大表示しない場合に、エッジ領域に透過性が低いエッジピーキング画像を生成する。また、画像表示装置２は、撮像画像を拡大表示した場合に、撮像画像を拡大表示しない場合に比べて透過性が高いエッジピーキング画像を撮像画像に重畳して表示させる。このようにすることで、ユーザが撮像画像を拡大表示していない状態では、エッジ領域の位置を把握しやすくし、ユーザが撮像画像を拡大表示してフォーカスの微調整をしている間は、被写体のエッジ領域の画像を確認しながらフォーカス合わせをすることができる。
【００４８】
＜第２の実施形態＞
続いて、第２の実施形態に係る画像表示装置２について説明する。図１０は、第２の実施形態に係る画像表示装置２の構成図である。第２の実施形態においては、エッジ画像生成部２０５がエッジピーキング画像を生成し、生成したエッジピーキング画像を撮像画像に重畳する代わりに、エッジ領域に含まれる画素の画素値を変更することによりエッジピーキング画像を含む表示画像を生成する点が、第１の実施形態と異なる。
【００４９】
図１０に示すように、画像生成部２０３は、エッジ画像生成部２０５及びエッジ画像スケーリング部２０６としての機能を有さず、入力画像におけるエッジ領域の画素値を、倍率取得部２３が取得した表示倍率に対応する画素値に変更することにより、表示画像を生成する。図１１を参照しながら、第２の実施形態に係る画像表示装置２が行う動作に関して説明する。
【００５０】
図１１は、画像表示装置２の動作を示すフローチャートである。フローチャートは、エッジピーキング表示の機能をＯＮにしているか否かを確認する時点から開始する（Ｓ４１）。ユーザがエッジピーキング表示の機能をＯＮにしていない場合（Ｓ４１においてＮＯ）、表示制御部２５は、エッジ領域の色を変更する動作を終了する。ユーザがエッジピーキング表示の機能をＯＮにしている場合（Ｓ４１においてＹＥＳ）、表示制御部２５は、エッジ検出部２０２に表示画像のエッジ領域を検出させる（Ｓ４２）。
【００５１】
続いて、表示制御部２５は、ユーザが画像を拡大表示しているか否かを確認する（Ｓ４３）。ユーザが画像を拡大表示していない場合（Ｓ４３においてＮＯ）、画像生成部２０３は、エッジ検出部２０２が検出したエッジ領域を構成する画素の色を第１透過率の色に変更することにより、エッジピーキング画像を生成する（Ｓ４４）。表示制御部２５は、ユーザが画像を拡大表示している場合（Ｓ４３においてＹＥＳ）、エッジ検出部２０２が検出したエッジ領域を構成する画素の色を第２透過率の色に変更することにより、表示画像が拡大されていない場合よりも透過性が高いエッジピーキング画像を生成する（Ｓ４５）。
【００５２】
図１２は、フォーカスリングを操作してフォーカス調整を行う際の画像表示装置２の動作を示すフローチャートである。ステップＳ５０１〜Ｓ５０６は、図９におけるステップＳ３０１〜Ｓ３０６の処理と同一なので、説明を省略する。
【００５３】
ステップＳ５０５において、所定の時間が経過する前にフォーカスリングの調整値が変化し、調整値の変化量が閾値より小さい場合（Ｓ５０５においてＮＯ、Ｓ５０７においてＹＥＳ）、画像生成部２０３は、表示制御部２５の制御に基づいて、エッジ領域が含む画素の画素値を変更して外縁の画素の色を変更し、表示部２０に表示する（Ｓ５０８）。
【００５４】
フォーカスリングの調整値の変化量が閾値以上である場合（Ｓ５０７においてＮＯ）、画像生成部２０３は、表示制御部２５の制御に基づいて、エッジ領域が含む画素の画素値を第２透過率の色に変更して表示画像を生成し、表示部２０に表示する（Ｓ５０９）。
【００５５】
ユーザが画像を拡大表示していない場合（Ｓ５０３においてＮＯ）、画像生成部２０３は、表示制御部２５の制御に基づいて、エッジ領域が含む画素の画素値を第１透過率の色に変更して表示画像を生成し、表示部２０に表示する（Ｓ５１０）。
【００５６】
以上説明したように、第２の実施形態に係る画像表示装置２は、撮像画像を拡大表示しない場合に、エッジ領域を構成する画素の色を変更することによりエッジピーキング画像を生成する。また、画像表示装置２は、撮像画像を拡大表示した場合に、エッジ領域を構成する画素の色を変更せずに、表示画像を表示させる。このようにすることで、ユーザが撮像画像を拡大表示していない状態では、エッジ領域の位置を把握しやすくし、撮像画像を拡大表示した状態では、ユーザが、エッジ領域の画像自体を視認できるのでフォーカス調整をしやすくなる。第２の実施形態に係る画像表示装置２は、エッジ画像生成部２０５及びエッジ画像スケーリング部２０６を用いる必要がないので、第１の実施形態に係る画像表示装置２に比べて処理量を減らすことができる。
【００５７】
以上、本発明を実施の形態を用いて説明したが、本発明の技術的範囲は上記実施の形態に記載の範囲には限定されず、その要旨の範囲内で種々の変形及び変更が可能である。
【符号の説明】
【００５８】
２・・・画像表示装置
２０・・・表示部
２２・・・画像取得部
２３・・・倍率取得部
２５・・・表示制御部
【図１】
2017163261.tif 000003
【図２】
2017163261.tif 000004
【図３】
2017163261.tif 000005
【図４】
2017163261.tif 000006
【図５】
2017163261.tif 000007
【図６】
2017163261.tif 000008
【図７】
2017163261.tif 000009
【図８】
2017163261.tif 000010
【図９】
2017163261.tif 000011
【図１０】
2017163261.tif 000012
【図１１】
2017163261.tif 000013
【図１２】
2017163261.tif 000014